(57)【特許請求の範囲】
【請求項１】
チャネル推定処理を行うことによって、チャネル行列を推定するように構成されているチャネル推定部と、
送信ウェイト行列を生成するように構成されている送信ウェイト行列生成部と、
セル固有参照信号に基づいて共分散行列及び干渉信号成分からなる干渉信号用共分散行列を推定するように構成されている共分散行列推定部と、
前記チャネル行列、前記送信ウェイト行列及び前記共分散行列に基づいて、受信ウェイトを生成するように構成されている受信ウェイト生成部と、
前記チャネル行列、前記干渉信号用共分散行列、前記送信ウェイト行列及び前記受信ウェイトに基づいて、受信品質を推定するように構成されている受信品質推定部とを具備することを特徴とする受信器。
【請求項２】
前記送信ウェイト行列生成部は、前記チャネル行列に基づいて、コードブックから前記送信ウェイト行列を選択するように構成されていることを特徴とする請求項１に記載の受信器。
【請求項３】
前記送信ウェイト行列生成部は、特異値分解プリコーディング仮定法に基づいて、前記送信ウェイト行列を生成するように構成されていることを特徴とする請求項１に記載の受信器。
【発明の詳細な説明】
【技術分野】
【０００１】
本発明は、受信器に関する。
【背景技術】
【０００２】
ＬＴＥ（Ｌｏｎｇ  Ｔｅｒｍ  Ｅｖｏｌｕｔｉｏｎ）方式において、下りリンクにおいて、セル端スループットの改善方法の１つとして、干渉となる他の移動局ＵＥのビームを抑圧するＩＲＣ（Ｉｎｔｅｒｆｅｒｅｎｃｅ  Ｒｅｊｅｃｔｉｏｎ  Ｃｏｍｂｉｎｉｎｇ）受信器の検討が行われている。
【０００３】
図５に示すように、ＩＲＣ受信器１０は、干渉信号を抑圧しながら、所望信号の受信品質を向上させることを目的としている。
【０００４】
また、ＬＴＥ（Ｒｅｌｅａｓｅ-８）方式では、チャネル状態（ＣＳＩ：Ｃｈａｎｎｅｌ  Ｓｔａｔｅ  Ｉｎｆｏｒｍａｔｉｏｎ）の推定や、データ信号及び制御信号の復調や、セルにおける受信品質の測定を行うために、ＣＲＳ（Ｃｅｌｌ-Ｓｐｅｃｉｆｉｃ  Ｒｅｆｅｒｅｎｃｅ  Ｓｉｇｎａｌ）が送信されるように構成されている。
【０００５】
具体的には、ＬＴＥ（Ｒｅｌｅａｓｅ-８）方式では、ＣＲＳは、図６に示す構成によって、データ信号や制御信号と共に送信されるように構成されている。なお、最大４アンテナまで、ＣＲＳを設定することができる。
【０００６】
また、ＬＴＥ（Ｒｅｌｅａｓｅ-１０）方式では、ＣＲＳに加えて、ＣＳＩ-ＲＳ（Ｃｈａｎｎｅｌ  Ｓｔａｔｅ  Ｉｎｆｏｒｍａｔｉｏｎ-Ｒｅｆｅｒｅｎｃｅ  Ｓｉｇｎａｌ）及びＤＭ-ＲＳ（Ｄｅｍｏｄｕｌａｔｉｏｎ-Ｒｅｆｅｒｅｎｃｅ  Ｓｉｇｎａｌ/ＵＥ  Ｓｐｅｃｉｆｉｃ-Ｒｅｆｅｒｅｎｃｅ  Ｓｉｇｎａｌ）が送信されるように構成されている。
【０００７】
ＣＳＩ-ＲＳは、ＣＳＩの推定のみに用いられることが想定されているため、ＣＲＳと比べて低密度に送信されるように構成されている。なお、最大８アンテナまで、ＣＳＩ-ＲＳを定義することができる。
【０００８】
また、ＤＭ-ＲＳをデータ信号と同様に送信することで（すなわち、プリコーディング後のチャネル推定を可能にすることで）、プリコーディング情報無しでデータ信号の復調を可能にすることができる。なお、最大８ストリーム伝送まで、ＤＭ-ＲＳを設定することができる。
【０００９】
具体的には、ＬＴＥ（Ｒｅｌｅａｓｅ-１０）方式では、図６に示す構成によって、ＣＲＳ、ＣＳＩ-ＲＳ、ＤＭ-ＲＳ、データ信号及び制御信号を送信するように構成されている。
【００１０】
また、従来、干渉を抑圧するために、ＭＭＳＥ（Ｍｉｎｉｍｕｍ  Ｍｅａｎ  Ｓｑｕａｒｅ  Ｅｒｒｏｒ）空間フィルタリング方式を用いて受信処理を行う技術が知られている。
【００１１】
かかる技術では、図７（ａ）に示すように、ＩＲＣ受信ウェイトＷＩＲＣ（ｋ，ｌ）を生成するように構成されている。ここで、ＩＲＣ受信ウェイトＷＩＲＣ（ｋ，ｌ）を生成する際には、図７（ｂ）に示すＣＲＳに基づく共分散行列ＲＩ＋Ｎの推定法が用いられる（非特許文献１参照）。
【００１２】
以下、図８及び図９を参照して、かかる技術を用いて、従来のセル間干渉を抑圧しない受信器において、ＣＳＩを算出する方法について説明する。
【００１３】
第１に、図８を参照して、送信器側でコードブックを用いた送信が行われるケースについて説明する。
【００１４】
図８に示すように、ステップＳ３０１において、受信器は、ＣＲＳ若しくはＣＳＩ-ＲＳを用いて、（ＮＲｘ×ＮＴｘ）次元のチャネル行列Ｈを推定する。
【００１５】
ステップＳ３０２において、受信器は、推定されたチャネル行列Ｈに基づいて、コードブックから、（ＮＴｘ×ＮＳｔｒｅａｍ）次元の送信ウェイト行列ＷＴｘを選択する。
【００１６】
ステップＳ３０３において、受信器は、上述のＣＲＳ若しくはＣＳＩ-ＲＳを用いて、干渉雑音電力σ２を推定する。
【００１７】
ステップＳ３０４において、受信器は、式（１）を用いて、チャネル行列Ｈ、干渉雑音電力σ２及び送信ウェイト行列ＷＴｘに基づいて、（ＮＳｔｒｅａｍ×ＮＲｘ）次元のＭＭＳＥ受信ウェイトＷＭＭＳＥを推定する。
【００１８】
ステップＳ３０５において、受信器は、式（２）を用いて、チャネル行列Ｈ、ＭＭＳＥ受信ウェイトＷＭＭＳＥ及び送信ウェイト行列ＷＴｘに基づいて、受信ＳＩＮＲ（Ｓｉｇｎａｌ-ｔｏ-Ｉｎｔｅｒｆｅｒｅｎｃｅ  ｐｌｕｓ  Ｎｏｉｓｅ  Ｒａｔｉｏ）を推定する。ここで、推定された受信ＳＩＮＲが、ＣＳＩに相当する。
【００１９】
ステップＳ３０６において、受信器は、推定した受信ＳＩＮＲを量子化してＣＱＩ（Ｃｈａｎｎｅｌ  Ｑｕａｌｉｔｙ  Ｉｎｄｉｃａｔｏｒ）に変換し、推定した受信ＳＩＮＲ及びチャネル行列Ｈに基づいて送信ウェイトを示す情報である「ＰＭＩ（Ｐｒｅｃｏｄｉｎｇ  Ｍａｔｒｉｘ  Ｉｎｄｉｃａｔｏｒ）」を推定し、推定した受信ＳＩＮＲ及びＣＱＩに基づいて送信ストリーム数を示す情報である「ＲＩ（Ｒａｎｋ  Ｉｎｄｉｃａｔｏｒ）」を推定する。
【００２０】
第２に、図９を参照して、送信器側で任意の送信ウェイト行列を用いた送信が行われるケースについて説明する。
【００２１】
図９に示すように、ステップＳ４０１において、受信器は、ＣＲＳ若しくはＣＳＩ-ＲＳを用いて、（ＮＲｘ×ＮＴｘ）次元のチャネル行列Ｈを推定する。
【００２２】
ステップＳ４０２において、受信器は、式（３）を用いて、推定されたチャネル行列Ｈに基づいて、（ＮＴｘ×ＮＳｔｒｅａｍ）次元の送信ウェイト行列ＷＴｘを推定する。
【００２３】
以下、ステップＳ４０３〜Ｓ４０５の動作は、上述のステップＳ３０３〜Ｓ３０５の動作と同一である。
【００２４】
ステップＳ４０６において、受信器は、推定した受信ＳＩＮＲを量子化してＣＱＩに変換し、推定した受信ＳＩＮＲ及びＣＱＩに基づいて送信ストリーム数を示す情報である「ＲＩ（Ｒａｎｋ  Ｉｎｄｉｃａｔｏｒ）」を推定する。
【００２５】
さらに、プリコーディング送信が行われないケースでは、（ＮＴｘ×ＮＳｔｒｅａｍ）次元の送信ウェイト行列ＷＴｘを選択しない点、及び、ステップＳ３０３〜Ｓ３０５において送信ウェイト行列ＷＴｘを使用しない点を除いて、上述の図８に示す動作と同一である。
【００２６】
なお、ステップＳ３０６においては、受信器は、推定した受信ＳＩＮＲを量子化してＣＱＩに変換し、推定した受信ＳＩＮＲ及びＣＱＩに基づいて送信ストリーム数を示す情報である「ＲＩ（Ｒａｎｋ  Ｉｎｄｉｃａｔｏｒ）」を推定する。
【先行技術文献】
【非特許文献】
【００２７】
【非特許文献１】３ＧＰＰ寄書Ｒ４-１１５２１３
【発明の概要】
【発明が解決しようとする課題】
【００２８】
しかしながら、上述のＣＳＩの算出方法では、ＩＲＣ受信器１０によるゲインが反映されないという問題点があった。
【００２９】
すなわち、上述のＣＳＩの算出方法は、セル間干渉を抑圧しない受信器を想定するものであり、セル間干渉を白色雑音と仮定してＣＳＩを算出するものであった。
【００３０】
これに対して、ＩＲＣ受信器１０は、セル間干渉を効果的に抑圧することができるため、ＩＲＣ受信器１０における受信ＳＩＮＲは、セル間干渉を抑圧しない受信器における受信ＳＩＮＲと比べて向上している。
【００３１】
したがって、上述のＣＳＩの算出方法によって、ＩＲＣ受信器１０における受信ＳＩＮＲを推定すると、実際の受信ＳＩＮＲよりも低く見積もることになり、ＩＲＣ受信器１０に対して適切なＭＣＳ（Ｍｏｄｕｌａｔｉｏｎ  ａｎｄ  Ｃｏｄｉｎｇ  Ｓｃｈｅｍｅ）を選択することができない、適切な送信ストリーム数を選択できない、適切なユーザスケジューリングが行えないといった問題点があった。
【００３２】
そこで、本発明は、上述の課題に鑑みてなされたものであり、セル間干渉を抑圧することができる受信器であって、正確なＣＳＩを測定することができる受信器を提供することを目的とする。
【課題を解決するための手段】
【００３３】
本発明の第１の特徴は、受信器であって、チャネル推定処理を行うことによって、チャネル行列を推定するように構成されているチャネル推定部と、送信ウェイト行列を生成するように構成されている送信ウェイト行列生成部と、セル固有参照信号に基づいて共分散行列及び干渉信号用共分散行列を推定するように構成されている共分散行列推定部と、前記チャネル行列、前記送信ウェイト行列及び前記共分散行列に基づいて、受信ウェイトを生成するように構成されている受信ウェイト生成部と、前記チャネル行列、前記干渉信号用共分散行列、前記送信ウェイト行列及び前記受信ウェイトに基づいて、受信品質を推定するように構成されている受信品質推定部とを具備することを要旨とする。
【発明の効果】
【００３４】
以上説明したように、本発明によれば、セル間干渉を抑圧することができる受信器であって、正確なＣＳＩを測定することができる受信器を提供することができる。
【図面の簡単な説明】
【００３５】
【図１】本発明の第１の実施形態に係るＩＲＣ受信器の機能ブロック図である。
【図２】本発明の第１の実施形態に係るＩＲＣ受信器の動作を示すフローチャートである。
【図３】本発明の第１の実施形態に係るＩＲＣ受信器の動作を示すフローチャートである。
【図４】本発明の変更例１に係るＩＲＣ受信器の機能ブロック図である。
【図５】従来技術について説明するための図である。
【図６】従来技術について説明するための図である。
【図７】従来技術について説明するための図である。
【図８】従来技術について説明するための図である。
【図９】従来技術について説明するための図である。
【発明を実施するための形態】
【００３６】
（本発明の第１の実施形態に係る移動通信システム）
図１乃至図３を参照して、本発明の第１の実施形態に係るＩＲＣ受信器１０について説明する。
【００３７】
図１に示すように、本実施形態に係るＩＲＣ受信器１０は、チャネル推定部１１と、共分散行列推定部１２と、送信ウェイト行列生成部１３と、ＩＲＣ受信ウェイト生成部１４と、受信ＳＩＮＲ推定部１５と、ＣＱＩ生成部１６と、ＲＩ推定部１８と、ＰＭＩ推定部１９とを具備している。
【００３８】
チャネル推定部１１は、サービングセル（セル１）から受信したＣＲＳに基づいてチャネル推定処理を行うことによって、チャネル行列Ｈを推定（算出）するように構成されている。
【００３９】
共分散行列推定部１２は、ＣＲＳ及びチャネル推定部１１から受信したチャネル行列Ｈに基づいて、共分散行列ＲＩ＋Ｎ及び干渉信号成分（雑音成分）からなる干渉信号用共分散行列
【数１】
0005184690.tif 000002
【００４０】
を推定（算出）するように構成されている。ここで、干渉信号用共分散行列
【数２】
0005184690.tif 000003
【００４１】
は、図７（ｃ）において推定されるものとする。
【００４２】
送信ウェイト行列生成部１３は、チャネル推定部１１から受信したチャネル行列Ｈに基づいて、送信ウェイト行列ＷＴｘを生成するように構成されている。
【００４３】
例えば、送信器側でコードブックを用いた送信が行われるケースにおいて、送信ウェイト行列生成部１３は、チャネル行列Ｈに基づいて、コードブックから送信ウェイト行列ＷＴｘを選択するように構成されていてもよい。
【００４４】
或いは、送信器側で任意の送信ウェイト行列を用いた送信が行われるケースにおいて、送信ウェイト行列生成部１３は、特異値分解プリコーディング仮定法に基づいて、送信ウェイト行列ＷＴｘを生成するように構成されていてもよい。
【００４５】
ＩＲＣ受信ウェイト生成部１４は、チャネル推定部１１から受信したチャネル行列Ｈ、送信ウェイト行列生成部１３から受信した送信ウェイト行列ＷＴｘ及び共分散行列推定部１２から受信した共分散行列ＲＩ＋Ｎに基づいて、ＩＲＣ受信ウェイトＷＩＲＣを生成するように構成されている。
【００４６】
受信ＳＩＮＲ推定部１５は、チャネル推定部１１から受信したチャネル行列Ｈ、共分散行列推定部１２から受信した干渉信号用共分散行列
【数３】
0005184690.tif 000004
【００４７】
、送信ウェイト行列生成部１３から受信した送信ウェイト行列ＷＴｘ及びＩＲＣ受信ウェイト生成部１４から受信したＩＲＣ受信ウェイトＷＩＲＣに基づいて、受信ＳＩＮＲを推定（算出）するように構成されている。
【００４８】
ＣＱＩ生成部１６は、受信ＳＩＮＲ推定部１５から受信した受信ＳＩＮＲに基づいて、ＣＱＩを生成するように構成されている。
【００４９】
ＲＩ推定部１８は、受信ＳＩＮＲ推定部１５から受信した受信ＳＩＮＲ及びＣＱＩ生成部１６から受信したＣＱＩに基づいて、送信ストリーム数を示す情報である「ＲＩ」を推定するように構成されている。
【００５０】
ＰＭＩ推定部１９は、チャネル推定部１１から受信したチャネル行列Ｈ及び受信ＳＩＮＲ推定部１５から受信した受信ＳＩＮＲに基づいて、送信ウェイトを示す情報である「ＰＭＩ」を推定するように構成されている。
【００５１】
以下、図２及び図３を参照して、本実施形態に係るＩＲＣ受信器１０において、ＣＳＩを算出する方法について説明する。
【００５２】
第１に、図２を参照して、送信器側でコードブックを用いた送信が行われるケースについて説明する。
【００５３】
図２に示すように、ステップＳ１０１において、ＩＲＣ受信器１０は、ＣＲＳ若しくはＣＳＩ-ＲＳを用いて、（ＮＲｘ×ＮＴｘ）次元のチャネル行列Ｈを推定する。
【００５４】
ステップＳ１０２において、ＩＲＣ受信器１０は、推定されたチャネル行列Ｈに基づいて、コードブックから、（ＮＴｘ×ＮＳｔｒｅａｍ）次元の送信ウェイト行列ＷＴｘを選択する。
【００５５】
ステップＳ１０３において、ＩＲＣ受信器１０は、式（４）を用いて、ＣＲＳ、チャネル行列Ｈ及び送信ウェイト行列ＷＴｘに基づいて、共分散行列ＲＩ＋Ｎを推定する（図７（ｂ）参照）。また、ＩＲＣ受信器１０は、干渉信号成分からなる干渉信号用共分散行列
【数４】
0005184690.tif 000005
【００５６】
を推定する（図７（ｃ）参照）。
【００５７】
ステップＳ１０４において、ＩＲＣ受信器１０は、式（５）を用いて、チャネル行列Ｈ、共分散行列ＲＩ＋Ｎ及び送信ウェイト行列ＷＴｘに基づいて、（ＮＳｔｒｅａｍ×ＮＲｘ）次元のＩＲＣ受信ウェイトＷＩＲＣを推定する。
【００５８】
ステップＳ１０５において、ＩＲＣ受信器１０は、式（６）を用いて、チャネル行列Ｈ、ＩＲＣ受信ウェイトＷＩＲＣ及び送信ウェイト行列ＷＴｘに基づいて、受信ＳＩＮＲを推定する。
【００５９】
ステップＳ１０６において、ＩＲＣ受信器１０は、推定した受信ＳＩＮＲを量子化してＣＱＩに変換し、推定した受信ＳＩＮＲ及びチャネル行列Ｈに基づいて、送信ウェイトを示す情報である「ＰＭＩ」を推定し、推定した受信ＳＩＮＲ及びＣＱＩに基づいて、送信ストリーム数を示す情報である「ＲＩ」を推定する。
【００６０】
第２に、図３を参照して、送信器側で任意の送信ウェイト行列を用いた送信が行われるケースについて説明する。
【００６１】
図３に示すように、ステップＳ２０１において、受信器は、ＣＲＳ若しくはＣＳＩ-ＲＳを用いて、（ＮＲｘ×ＮＴｘ）次元のチャネル行列Ｈを推定する。
【００６２】
ステップＳ２０２において、受信器は、式（３）を用いて、推定されたチャネル行列Ｈに基づいて、（ＮＴｘ×ＮＳｔｒｅａｍ）次元の送信ウェイト行列ＷＴｘを推定する。
【００６３】
以下、ステップＳ２０３〜Ｓ２０５の動作は、上述のステップＳ１０３〜Ｓ１０５の動作と同一である。
【００６４】
ステップＳ２０６においては、ＩＲＣ受信器１０は、推定した受信ＳＩＮＲを量子化してＣＱＩに変換し、推定した受信ＳＩＮＲ及びＣＱＩに基づいて送信ストリーム数を示す情報である「ＲＩ」を推定する。
【００６５】
さらに、プリコーディング送信が行われないケースでは、（ＮＴｘ×ＮＳｔｒｅａｍ）次元の送信ウェイト行列ＷＴｘを選択しない点、及び、ステップＳ１０３〜Ｓ１０５において送信ウェイト行列ＷＴｘを使用しない点を除いて、上述の図２に示す動作と同一である。
【００６６】
なお，ステップＳ３０６においては、ＩＲＣ受信器１０は、推定した受信ＳＩＮＲを量子化してＣＱＩに変換し、推定した受信ＳＩＮＲ及びＣＱＩに基づいて送信ストリーム数を示す情報である「ＲＩ」を推定する。
【００６７】
本実施形態に係るＩＲＣ受信器１０によれば、ＩＲＣ受信ウェイトＷＩＲＣを推定する際に、ＣＲＳに基づく共分散行列ＲＩ＋Ｎを用いるように構成されている。また、本実施形態に係るＩＲＣ受信器１０によれば、受信ＳＩＮＲを推定する際に、推定したＩＲＣ受信ウェイトＷＩＲＣ及びＣＲＳに基づく干渉信号成分からなる干渉信号用共分散行列
【数５】
0005184690.tif 000006
【００６８】
を用いるように構成されている。
【００６９】
したがって、両者を用いることにより、ＩＲＣ受信ウェイトＷＩＲＣによる干渉抑圧効果を反映した受信ＳＩＮＲを推定できることができるため、従来の干渉を抑圧しない受信器における受信ＳＩＮＲ推定方法と比較して、ＩＲＣ受信器１０における正確な受信ＳＩＮＲを推定することができる。
【００７０】
（変更例１）
図４を参照して、本発明の変更例１に係るＩＲＣ受信器１０について説明する。以下、本変更例１に係るＩＲＣ受信器１０について、上述の第１の実施形態に係るＩＲＣ受信器１０との相違点に着目して説明する。
【００７１】
図４に示すように、本変更例１に係るＩＲＣ受信器１０は、図１に示す構成に加えて、チャネル推定部１７を具備している。
【００７２】
チャネル推定部１７は、受信したＣＳＩ-ＲＳに基づいてチャネル推定処理を行うことによって、チャネル行列Ｈを推定（算出）するように構成されている。
【００７３】
本変更例１に係るＩＲＣ受信器１０では、送信ウェイト行列生成部１３、ＩＲＣ受信ウェイト推定部１４及び受信ＳＩＮＲ推定部１５は、チャネル推定部１１によって推定されたチャネル行列Ｈの代わりに、チャネル推定部１７によって推定されたチャネル行列Ｈを用いるように構成されている。
【００７４】
以上に述べた本実施形態の特徴は、以下のように表現されていてもよい。
【００７５】
本実施形態の第１の特徴は、ＩＲＣ受信器１０であって、チャネル推定処理を行うことによって、チャネル行列Ｈを推定するように構成されているチャネル推定部１１と、送信ウェイト行列ＷＴｘを生成するように構成されている送信ウェイト行列生成部１３と、ＣＲＳ（セル固有参照信号）に基づいて共分散行列ＲＩ＋Ｎ及び干渉信号成分からなる干渉信号用共分散行列
【数６】
0005184690.tif 000007
【００７６】
を推定するように構成されている共分散行列推定部１２と、チャネル行列Ｈ、送信ウェイト行列ＷＴｘ及び共分散行列ＲＩ＋Ｎに基づいて、ＩＲＣ受信ウェイトＷＩＲＣを生成するように構成されているＩＲＣ受信ウェイト生成部１４と、チャネル行列Ｈ、干渉信号用共分散行列
【数７】
0005184690.tif 000008
【００７７】
、送信ウェイト行列ＷＴｘ及びＩＲＣ受信ウェイトＷＩＲＣに基づいて、受信ＳＩＮＲ（受信品質）を推定するように構成されている受信ＳＩＮＲ推定部１５とを具備することを要旨とする。
【００７８】
本実施形態の第１の特徴において、送信ウェイト行列生成部１３は、チャネル行列Ｈに基づいて、コードブックから送信ウェイト行列ＷＴｘを選択するように構成されていてもよい。
【００７９】
本実施形態の第１の特徴において、送信ウェイト行列生成部１３は、特異値分解プリコーディング仮定法に基づいて、送信ウェイト行列ＷＴｘを生成するように構成されていてもよい。
【００８０】
本実施形態の第１の特徴において、送信ウェイト行列生成部１３は、その他の任意のプリコーディング法に基づいて、送信ウェイト行列ＷＴｘを生成するように構成されていてもよい。
【００８１】
なお、上述のＩＲＣ受信器１０の動作は、ハードウェアによって実施されてもよいし、プロセッサによって実行されるソフトウェアモジュールによって実施されてもよいし、両者の組み合わせによって実施されてもよい。
【００８２】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【００８３】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、ＩＲＣ受信器１０内に設けられていてもよい。また、かかる記憶媒体及びプロセッサは、ディスクリートコンポーネントとしてＩＲＣ受信器１０内に設けられていてもよい。
【００８４】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【００８５】
１０…ＩＲＣ受信器
１１、１７…チャネル推定部
１２…共分散行列推定部
１３…送信ウェイト行列生成部
１４…ＩＲＣ受信ウェイト推定部
１５…受信ＳＩＮＲ推定部
１６…ＣＱＩ生成部
１８…ＲＩ推定部
１９…ＰＭＩ推定部
【要約】      （修正有）【課題】セル間干渉を抑圧することができるＩＲＣ受信器において正確なＣＳＩの測定を提供する。【解決手段】ＩＲＣ受信器１０は、チャネル推定処理を行うことによって、送信ウェイト行列ＷＴｘを生成する。ＣＲＳに基づいて共分散行列ＲＩ＋Ｎ及び干渉信号成分からなる干渉信号用共分散行列0005184690.tif 000009を推定する。チャネル行列Ｈ、送信ウェイト行列ＷＴｘ及び共分散行列ＲＩ＋Ｎに基づいて、ＩＲＣ受信ウェイトＷＩＲＣを生成する。チャネル行列Ｈ、干渉信号用共分散行列、送信ウェイト行列ＷＴｘ及びＩＲＣ受信ウェイトＷＩＲＣに基づいて、受信ＳＩＮＲを推定する。【選択図】図１【図１】
0005184690.tif 000010
【図２】
0005184690.tif 000011
【図３】
0005184690.tif 000012
【図４】
0005184690.tif 000013
【図５】
0005184690.tif 000014
【図６】
0005184690.tif 000015
【図７】
0005184690.tif 000016
【図８】
0005184690.tif 000017
【図９】
0005184690.tif 000018